(57)【要約】【課題】容器の取り出し口の開閉を一操作で行うことができる包装容器を提供する。【解決手段】包装容器は取り出し口３５の開閉機構２１を備える。開閉機構２１は、開閉機構２１を容器本体３１に固定するための固定部２２、固定部２２に第１ヒンジ部ａを介して連設された傾斜板２３、傾斜板２３の幅方向の両端に第２ヒンジ部ｂを介して連設された一対の傾斜帯状部２４ａ、２４ｂ、傾斜帯状部２４ａ、２４ｂに第３ヒンジ部ｃを介して連設された傾動部２５ａ、２５ｂと、一対の傾斜帯状部２４ａ、２４ｂの間に位置し、傾動部２５ａ、２５ｂと一体に形成された閉鎖板２６を備える。閉鎖板２６は第４ヒンジ部ｄを介して支持板２８に連設されている。容器本体３１は、固定部２２を載置固定するための載置固定部３２、載置固定部３２に続く傾斜部３３、並びに中間板２８及び閉鎖板２６の載置部３４を備える。【選択図】      図１２
2006273358.tif 000002
【特許請求の範囲】
【請求項１】
取り出し口を有する容器本体及びこの容器本体の取り出し口を開閉するための開閉機構とからなる包装容器において、前記開閉機構は、開閉機構を容器本体に固定するための固定部、固定部に第１ヒンジ部を介して連設された傾斜板と、傾斜板の幅方向の両端に第２ヒンジ部を介して連設された一対の傾斜帯状部と、傾斜帯状部に第３ヒンジ部を介して連設された傾動部と、前記一対の傾斜帯状部の間に位置し、前記傾動部と一体に形成された閉鎖板と、第４ヒンジ部を介して閉鎖板に連設された支持板を備え、容器本体は、開閉機構の固定部を載置固定するための載置固定部、この載置固定部に続く傾斜部、並びに支持板及び閉鎖板の載置部を備え、前記開閉機構は第３ヒンジ部を折り返し辺として二つ折りされ、固定部は容器本体の載置固定部に固定され、載置部には容器本体の取り出し口が設けられていることを特徴とする包装容器。
【請求項２】
開閉機構の支持板に第５ヒンジ部を介して垂直板が連設され、この垂直板は支持板及び閉鎖板に対して垂直に折り曲げられて容器本体の側壁に当接され、固定されていることを特徴とする請求項１に記載の包装容器。
【請求項３】
閉鎖板には取り出し口に密嵌合することが可能な環状突起部が設けられていることを特徴とする請求項１又は２に記載の包装容器。
【請求項４】
容器本体は、底部材と蓋部材とからなり、底部材は蓋部材に嵌合されてなるカード状ケースであることを特徴とする請求項１乃至３の何れか一項に記載の包装容器。
【請求項５】
底部材の内部に包装内容物を蓋部材の取り出し口に対応する領域に誘導するための誘導壁が備えられていることを特徴とする請求項１乃至４の何れか一項に記載の包装容器。
【発明の詳細な説明】
【技術分野】
【０００１】
本発明は、錠剤、顆粒等の内容物の包装容器に関する。
【背景技術】
【０００２】
図１に背面側から見た斜視図を示し、図２に正面側から見た斜視図を示すような容器の蓋の開放機構が知られている（特許文献１参照）。この蓋の開放機構は、容器本体１１に対してヒンジ部４を介して連接された蓋体１２を開閉するための蓋の開放機構である。２本の切込み長孔１８が、それぞれ容器本体１１の背面側の任意の位置から、ヒンジ部４に達するまで切り込まれている。この２本の切込み長孔１８、１８は、両切込み長孔１８、１８間の領域を指で押圧可能な間隔をおいて設けられ、両切込み長孔１８、１８間に折り曲げ溝７を有する押圧操作部５が形成されている。この押圧操作部５を容器本体１１の背面側から指で押圧することにより、押圧操作部５からヒンジ部４を介して蓋体１２に伝わった押圧力により、蓋体１２が押圧力の作用方向に若干撓み移動し、その状態で押圧操作部５が容器本体の内側へ向けて撓み変形することにより、蓋体１２が容器本体１１の側に引っ張られ、押圧操作部５の容器本体１１の背面部への連接部とヒンジ４の間の間隔が短縮される一方、他方では容器本体１１の背面部の押圧操作部５の左右の隣接部分が原型を保持しようとすることによって、蓋体１２はヒンジ部４を回動中心部として強制的に開放される。
【特許文献１】特許第３１３７１２３号公報
【発明の開示】
【発明が解決しようとする課題】
【０００３】
この特許文献１に記載の技術を利用してなる錠剤、顆粒等の内容物の包装容器においては、容器本体１１の背面部を押して開口するので、利用者は容器本体１１の前後の関係を忘れて、容器を傾けて持った状態で押圧操作部５を押し、押圧操作部５の後ろ側に向けて開口した開口部から内容物をこぼしてしまうことがある。また、押圧操作部５を指で押すとき、図３に示すように、うっかり押圧操作部５と蓋体１２を把持してしまうことがあり、その場合、蓋体１２は開かない。また、ワンタッチオープン故に、かばん等の中に入れて携帯した状態で、押圧操作部５がそれに接触した他の物に押圧されて不用意に開き内容物が飛び出してしまうことがある。特に蓋体１２の真下の容器本体１１の領域を押すと容器本体１１がゆがみ、そのために蓋体１２が開き密閉性に欠ける。
本発明の目的は、容器の取り出し口とそれを開閉する開閉機構の関係を誤って認識されることのないように、取り出し口と開閉機構が容器の同じ側に位置し、容器の取り出し口の開閉を一操作で行うことができる包装容器を提供することである。
【課題を解決するための手段】
【０００４】
請求項１に記載の発明は、上記の課題を解決するもので、取り出し口を有する容器本体及びこの容器本体の取り出し口を開閉するための開閉機構とからなる包装容器において、前記開閉機構は、開閉機構を容器本体に固定するための固定部、固定部に第１ヒンジ部を介して連設された傾斜板と、傾斜板の幅方向の両端に第２ヒンジ部を介して連設された一対の傾斜帯状部と、傾斜帯状部に第３ヒンジ部を介して連設された傾動部と、前記一対の傾斜帯状部の間に位置し、前記傾動部と一体に形成された閉鎖板と、第４ヒンジ部を介して閉鎖板に連設された支持板を備え、容器本体は、開閉機構の固定部を載置固定するための載置固定部、この載置固定部に続く傾斜部、並びに支持板及び閉鎖板の載置部を備え、前記開閉機構は第３ヒンジ部を折り返し辺として二つ折りされ、固定部は容器本体の載置固定部に固定され、載置部には容器本体の取り出し口が設けられていることを特徴とする包装容器を要旨とする。
【０００５】
この発明によれば、傾斜板を押して容器本体の傾斜部に押しつけ、それと共に傾斜帯状部を傾斜させ、それによって傾斜帯状部と傾動板の間のヒンジ部を移動させることにより、傾動板及びそれと一体の閉鎖板を起こしてワンタッチで取り出し口を露出させ、内容物を取り出すことができ、また内容物の取り出し後に、閉鎖板を寝かせることにより、閉鎖板を取り出し口の上に位置させて、簡単に取り出し口を塞ぐことができる包装容器を提供することができる。この容器においては、取り出し口と開閉操作部が容器の同じ側に位置するので、内容物をこぼすことなく確実に取り出すことができる。
【０００６】
本発明において、開閉機構の支持板に第５ヒンジ部を介して垂直板を連設し、この垂直板は支持板及び閉鎖板に対して垂直に折り曲げられて容器本体の側壁に当接し、固定することが望ましい。このように構成することにより、支持板を容器本体に安定して取り付けることができる。
【０００７】
本発明においては取り出し口は円形、楕円形、卵形等の任意の形状に形成しうることは言うまでもないことである。また内容物が顆粒状物である場合には、取り出し口を多数の小穴群で形成してもよい。
【０００８】
傾倒板の背面側には、取り出し口に密嵌合することが可能な、所謂パッキングのはたらきをする環状突起部が設けることが望ましく、この環状突起部によって取り出し口を気密に塞ぐことができる。
【０００９】
本発明において、容器本体として、底部材と蓋部材とからなり、底部材は蓋部材に嵌合されてなるカード状ケースを用いることができる。このカード状ケースにおいては底部材に例えば顆粒状内容物を入れ蓋部材と合わせることにより錠剤、顆粒等の内容物の包装容器を形成することができる。
【００１０】
本発明において、底部材と蓋部材からなるカード状の容器において、底部材の内部に包装内容物を蓋部材の取り出し口に対応する領域に誘導するための誘導壁が備えられていることが望ましい。誘導壁が存在することにより、容器内の錠剤、顆粒等の包装内容物を全て容器から取り出すことができる。
【発明の効果】
【００１１】
本発明の包装容器は、前記したように、取り出し口を有する容器本体及びこの容器本体の取り出し口を開閉するための開閉機構とからなる包装容器において、前記開閉機構は、開閉機構を容器本体に固定するための固定部、固定部に第１ヒンジ部を介して連設された傾斜板と、傾斜板の幅方向の両端に第２ヒンジ部を介して連設された一対の傾斜帯状部と、傾斜帯状部に第３ヒンジ部を介して連設された傾動部と、前記一対の傾斜帯状部の間に位置し、前記傾動部と一体に形成された閉鎖板と、第４ヒンジ部を介して閉鎖板に連設された支持板を備え、容器本体は、開閉機構の固定部を載置固定するための載置固定部、この載置固定部に続く傾斜部、並びに支持板及び閉鎖板の載置部を備え、前記開閉機構は第３ヒンジ部を折り返し辺として二つ折りされ、固定部は容器本体の載置固定部に固定され、載置部には容器本体の取り出し口が設けられている包装容器であるので、傾斜板を押して容器本体の傾斜部に押しつけ、それと共に傾斜帯状部を傾斜させ、それによって傾斜帯状部と傾動板の間のヒンジ部を移動させることにより、傾動板及びそれと一体の閉鎖板を起こしてワンタッチで取り出し口を露出させ、内容物を取り出すことができ、また内容物の取り出し後に、閉鎖板を寝かせることにより、閉鎖板を取り出し口の上に位置させて、簡単に取り出し口を塞ぐことができる包装容器を提供することができる。この容器においては、取り出し口と開閉操作部が容器の同じ側に位置するので、内容物をこぼすことなく確実に取り出すことができる。
【発明を実施するための最良の形態】
【００１２】
図４乃至図１３を用いて、発明を実施するための最良の形態を説明する。
【００１３】
図４は本発明の包装容器を構成する開閉機構の展開図である。図５は本発明の包装容器の容器本体の平面図である。図６は図５に示すＡ−Ａ線矢視断面図である。図７は図５に示す容器本体の斜視図である。図８は二つ折りし、更に垂直板を支持板及び閉鎖板に対して垂直に折り曲げた開閉機構の平面図である。図９は図８に示すＢ−Ｂ線矢視断面図である。図１０は容器本体に図８に示す開閉機構を取り付けた包装容器の平面図である。図１１は図１０に示すＣ−Ｃ線矢視断面図である。
【００１４】
本発明の包装容器は、取り出し口３５を有する容器本体３１及びこの容器本体３１の取り出し口３５を開閉するための開閉機構２１とからなる。前記開閉機構２１は、開閉機構２１を容器本体３１に固定するための固定部２２、固定部２２に第１ヒンジ部ａを介して連設された傾斜板２３と、傾斜板２３の幅方向の両端に第２ヒンジ部ｂを介して連設された一対の傾斜帯状部２４ａ、２４ｂと、傾斜帯状部２４ａ、２４ｂに第３ヒンジ部ｃを介して連設された傾動部２５ａ、２５ｂと、前記一対の傾斜帯状部２４ａ、２４ｂの間に位置し、前記傾動部２５ａ、２５ｂと一体に形成された閉鎖板２６を備える。閉鎖板２６は第４ヒンジ部ｄを介して支持板２８に連設されている。支持板２８は第５ヒンジ部ｅを介して垂直板２９に連続している。容器本体３１には、開閉機構２１の固定部２２を載置固定するための載置固定部３２、この載置固定部３２に続く傾斜部３３、並びに支持板２８及び閉鎖板２６の載置部３４を備える。開閉機構２１は第３ヒンジ部ｃを折り返し辺として二つ折りされ、垂直板２９は支持板２８に対して及び第５ヒンジ部ｅを介して垂直に折り曲げられ、固定部２２は載置固定部３２に載置され、固定ピンにより固定されている。垂直板２９は容器本体３１の側壁に当接され、固定ピンにより固定されている。
載置部３４には容器本体３１の取り出し口３５が設けられている。
【００１５】
尚、固定部２２の載置固定部３２への固定及び垂直板２９の容器本体３１の側壁への固定は、固定ピンによる固定に代えて接着剤による固定方法によっても良い。
【００１６】
本発明の包装容器においては、図４、図８及び図１０に示すように、閉鎖板２７に容器本体２１の取り出し口２２に密嵌合する所謂パッキングの役目をする環状突起部２７を設けるのが望ましい。
【００１７】
また、本発明の包装容器においては、取り出し口３５は円形のものに限定されることなく、例えば卵形、楕円形等の形状のものであってもよい。また内容物が顆粒状物である場合には、取り出し口を多数の小穴群で形成してもよい。
【００１８】
図１６、図１７に示すように、、容器本体３１は、底部材３１ｂと蓋部材３１ａからなる。底部材３１ｂに錠剤、顆粒等の包装内容物を収容し、図１７に示す底部材３１ｂのボス３７に図１６に示す蓋部材３１ａのピン３６を係合させ、且つ図１６に示す蓋部材３１ａの周囲端部に設けられた段下げ部３８を図１７に示す底部材３１ｂの周囲端部に設けられた段上げ部３９を係合させて底部材３１ｂに蓋部材３１ａを嵌合させて一体化され、容器本体３１が形成されている。
【００１９】
尚、図１８に示すように、底部材の３１ｂの内部に、包装内容物を蓋部材の３１ａの取り出し口３５に対応する領域に誘導するための誘導壁４０を備えることが望ましい。誘導壁４０が存在することにより、容器内の錠剤、顆粒等の包装内容物を全て容器から取り出すことができる。
【００２０】
次に本発明の包装容器の作用について説明する。図１２は取り出し口を露出させた状態の包装容器の斜視図である。図１３は図１２に示す包装容器の断面図である。図１２及び図１３に示すように、取り出し口の開放は、閉鎖板２１の傾斜板２３を下方に容器本体３１の傾斜部３３に接触させるまで押し下げることにより行われる。傾斜板２３の押し下げと共に傾斜帯状部２４ａ、２４ｂが斜めになり、それによって傾斜帯状部２４ａ、２４ｂと傾動部２５ａ、２５ｂの間のヒンジ部ｃが傾斜板２３のほうに引っ張られると共に下方へ引き下げられる。傾動部２５ａ、２５ｂ及び閉鎖板２６は第４ヒンジ部ｄを中心に回動し、容器本体３１の取り出し口３５が露出せしめられる。このとき支持板２８は、第５ヒンジ部ｅを介して多少上に浮き上がる（全体をゆがみを吸収して）が、その場合、支持板２８は容器に固定しておいてもよい。内容物の取り出し後に、閉鎖板２６を寝かせることにより、閉鎖板２６を取り出し口３５の上に位置させて、簡単に取り出し口３５を塞ぐことができる。この容器においては、取り出し口３５と開閉操作部が容器の同じ側に位置するので、内容物をこぼすことなく確実に取り出すことができる。
【００２１】
図１４及び図１５は本発明の包装容器の変形態様を示す。この変形態様においては、閉鎖板２６に舌片３０が設けられている。この舌片３０は、図１５に示すように傾斜板２３の下に潜らせることができ、それによって、閉鎖板２６を傾斜板２３に対して係止させることができる。これによって閉鎖板２６がまわりのものに引っ掛かって簡単に開いてしまうことが防止される。閉鎖板２６を起こすときは傾斜板２３を押して傾けることにより、閉鎖板２６と傾斜板２６の間の係止がはずれ閉鎖板２６を起こすことができる。
【００２２】
図１９及び図２０は本発明の包装容器の別の実施の形態に係る開閉機構を示す。図１９は開閉機構の展開図を示し、図２０は開閉機構を二つ折りした状態を示す平面図である。この実施の形態においては、開閉機構２１の支持板４１を先に述べた第１の実施の形態における支持板２８よりも広幅に形成し、この支持板４１により閉鎖板２６が載置部３４上に安定して載置されるように構成し、垂直板２９は省略されているものである。
【００２３】
支持板４１はヒンジｄを介して垂直に折り曲げ容器側壁に固定してもよい。このとき開口部３５は、支持板４１が全て容器側壁にまわるので、この場合最も容器側壁に近づけることができる。このとき図２１に示すように載置部３４に対応する容器側壁部は支持板を収容する範囲でへこませておくとよい。
【産業上の利用可能性】
【００２４】
本発明の包装容器は、錠剤、顆粒等の包装容器として用いることができる。
【図面の簡単な説明】
【００２５】
【図１】特許文献１に記載の蓋の開放機構を有する容器の背面斜視図である。
【図２】特許文献１に記載の蓋の開放機構を有する容器の蓋を開いた状態を示す正面斜視図である。
【図３】図１に示す容器の開閉時における押圧操作部の誤った押圧の仕方を示す斜視図である。
【図４】本発明の包装容器を構成する開閉機構の展開図である。
【図５】本発明の包装容器の容器本体の平面図である。
【図６】図５に示すＡ−Ａ線矢視断面図である。
【図７】図５に示す容器本体の斜視図である。
【図８】二つ折りし、更に垂直板を支持板及び閉鎖板に対して垂直に折り曲げた開閉機構の平面図である。
【図９】図８に示すＢ−Ｂ線矢視断面図である。
【図１０】容器本体に図８に示す開閉機構を取り付けた包装容器の平面図である。
【図１１】図１０に示すＣ−Ｃ線矢視断面図である。
【図１２】取り出し口を露出させた状態の包装容器の斜視図である。
【図１３】図１２に示す包装容器の断面図である。
【図１４】閉鎖蓋に舌片を備える開閉機構の平面図である。
【図１５】図１４に示す開閉機構を備える本発明の包装容器の平面図である。
【図１６】本発明の包装容器の実施態様における容器本体の蓋部材のピン部を示す拡大断面図である。
【図１７】本発明の包装容器の実施態様における容器本体の底部材のボス部を示す拡大断面図である
【図１８】底部材と蓋部材からなる容器本体の、内部に誘導壁を備える底部材の斜視図である。
【図１９】別の開閉機構の展開図である。
【図２０】図１９に示す開閉機構を二つ折りした状態を示す平面図である。
【図２１】載置部３４に対応する容器側壁部は支持板を収容する範囲でへこませた実施態様の平面図である。
【符号の説明】
【００２６】
２１    開閉機構
２２    固定部
２３    傾斜板
２４ａ  傾斜帯状部
２４ｂ  傾斜帯状部
２５ａ  傾動部
２５ｂ  傾動部
２６    閉鎖板
２７    環状突起部
２８    支持板
２９    垂直板
３０    舌片
ａ      第１ヒンジ部
ｂ      第２ヒンジ部
ｃ      第３ヒンジ部
ｄ      第４ヒンジ部
ｅ      第５ヒンジ部
３１    容器本体
３１ａ  容器本体の蓋部材
３１ｂ  容器本体の底部材
３２    第１載置固定部
３３    傾斜部
３４    閉鎖板の載置部
３５    取り出し口
３６    ピン
３７    ボス
３８    段下げ部
３９    段上げ部
４０    誘導壁
４１    広幅の支持板
【図１】
2006273358.tif 000003
【図２】
2006273358.tif 000004
【図３】
2006273358.tif 000005
【図４】
2006273358.tif 000006
【図５】
2006273358.tif 000007
【図６】
2006273358.tif 000008
【図７】
2006273358.tif 000009
【図８】
2006273358.tif 000010
【図９】
2006273358.tif 000011
【図１０】
2006273358.tif 000012
【図１１】
2006273358.tif 000013
【図１２】
2006273358.tif 000014
【図１３】
2006273358.tif 000015
【図１４】
2006273358.tif 000016
【図１５】
2006273358.tif 000017
【図１６】
2006273358.tif 000018
【図１７】
2006273358.tif 000019
【図１８】
2006273358.tif 000020
【図１９】
2006273358.tif 000021
【図２０】
2006273358.tif 000022
【図２１】
2006273358.tif 000023